(57)【要約】【課題】  略多角形状の粉砕室に投入された粉砕媒体および被粉砕物を高位側から低位側に向けて一挙に自重落下させ、該被粉砕物を各粉砕媒体が衝突する時に生じる衝撃力で粉砕することにより、食用に適したサイズに粉砕処理することができ、摂取時の喉越しが良好となるボールミル装置の提供を目的とする。【解決手段】  多数の粉砕媒体Ａ，Ｂが投入された粉砕室２を回転して、該粉砕室２に投入された被粉砕物Ｃを上記各粉砕媒体Ａ，Ｂが衝突する時に生じる衝撃力で粉砕するボールミル装置であって、上記粉砕室２の壁部内面を、該粉砕室２の回転軸芯ａを中心として略多角形状に構成したことを特徴とする。【選択図】  図５
2004216373.tif 000002
【特許請求の範囲】
【請求項１】
多数の粉砕媒体が投入された粉砕室を回転して、該粉砕室に投入された被粉砕物を上記各粉砕媒体が衝突する時に生じる衝撃力で粉砕するボールミル装置であって、
上記粉砕室の壁部内面を、該粉砕室の回転軸芯を中心として略多角形状に構成した
ボールミル装置。
【請求項２】
上記略多角形状を有する粉砕室の壁部内面を、該粉砕室の回転軸芯を中心として略六角形状に構成した
請求項１記載のボールミル装置。
【請求項３】
上記粉砕媒体および被粉砕物を撹拌する突起を設け、上記粉砕室の少なくとも１つの壁部内面または全ての壁部内壁面に複数突設された
請求項１または２記載のボールミル装置。
【請求項４】
上記特許は壁部内面側の基端から回転軸芯側の先端にかけて角柱状に形成された
請求項３記載のボールミル装置。
【請求項５】
上記壁部の突起は、粉砕室の回転軸芯線に沿って該軸芯線方向に所定間隔を隔てて複数配列された
請求項３または４記載のボールミル装置。
【請求項６】
上記粉砕室の回転軸芯線に沿う突起列を複数列設け、隣接する突起列の突起が互い違いとなるように配置した
請求項５記載のボールミル装置。
【請求項７】
上記突起を、それぞれの壁部の内面に対して複数列状に配置した
請求項３〜６の何れか１に記載のボールミル装置。
【請求項８】
上記粉砕媒体は、異なる大きさ、または／および異なる形状に形成された複数種類のボールに設定した請求項１〜７の何れか１に記載のボールミル装置。
【発明の詳細な説明】
【技術分野】
【０００１】
この発明は、稲若葉やケールその他の被粉砕物を、栄養補助食品に適する微粉末に粉砕、または麺や豆腐、餅、ケーキ、練り食品、乳製品、飲み物等の食品に添加（混入）するのに最適なサイズ（微粉末または超微粉末）に粉砕処理するようなボールミル装置に関する。
【背景技術】
【０００２】
従来、上述例のボールミル装置としては、多数のボールが投入された円筒状の粉砕室を回転して、全てのボールを粉砕室内壁面に沿って低位側に向けて転動させながら、粉砕室に投入された被粉砕物を、各ボールが互いに衝突する時に生じる衝撃力を利用して粉末状に粉砕するボールミル（例えば特許文献１参照）と、
ボールミルを構成する円筒状の外筒と、この外筒の中心部に軸支した内筒とを相反する方向に回転して、外筒と内筒と対向面間に投入された多数のボールを、外筒と内筒との対向面に突設した撹拌翼で撹拌しながら転動させ、粉砕室に投入された被粉砕物を、多数のボールが互いに衝突する時に生じる衝撃力を利用して粉末状に粉砕する内外筒相互回転型のボールミル（例えば特許文献２参照）とがある。
【０００３】
しかし、上述の特許文献１に記載のボールミルは、ボールおよび被粉砕物が粉砕室内部曲面に沿って低位側に滑り落ち、また転がり落ちるため、ボールおよび被粉砕物の落差が小さくなって、稲若葉のような硬質の被粉砕物を、所望のサイズに粉砕するのに必要な衝撃力が得られず、粉砕処理に要する処理時間が極めて長くなる。
【０００４】
一方、特許文献２に記載の内外筒相互回転型のボールミルは、撹拌翼で撹拌されたボールおよび被粉砕物が、外筒の内周面と内筒の外周面とに曲率面沿って低位側に滑り落ち、また転がり落ちるため、ボールおよび被粉砕物の落差が小さくなって、上述と同様に、稲若葉のような硬質の被粉砕物を、所望のサイズに粉砕するのに充分な衝撃力が得られず、粉砕処理に要する処理時間が著しく長くなる。
【０００５】
さらに、これら特許文献１、特許文献２に記載のボールミルで粉砕処理された被粉砕物は充分な微粉末状が確保できないので、この被粉砕物を食品に添加、混入した場合、被粉砕物のサイズが大きく、摂取時の喉越しが悪く、食用に適さないという問題点を有している。  
【特許文献１】特開平６−１３４３３０号公報
【特許文献２】特開平１１−２５３８２８号公報
【発明の開示】
【発明が解決しようとする課題】
【０００６】
そこで、この発明は、略多角形状の粉砕室に投入された粉砕媒体および被粉砕物を高位側から低位側に向けて一挙に自重落下させ、該被粉砕物を各粉砕媒体が衝突する時に生じる衝撃力で粉砕することにより、確実に微粉末化することができ、食用に適したサイズに粉砕処理することができ、摂取時の喉越しが良好となるボールミル装置の提供を目的とする。
【課題を解決するための手段】
【０００７】
この発明によるボールミル装置は、多数の粉砕媒体が投入された粉砕室を回転して、該粉砕室に投入された被粉砕物を上記各粉砕媒体が衝突する時に生じる衝撃力で粉砕するボールミル装置であって、上記粉砕室の壁部内面を、該粉砕室の回転軸芯を中心として略多角形状に構成したものである。
【０００８】
上述の被粉砕物は、稲若葉やケール等の植物に設定してもよく、また、粉砕媒体は、ステンレスや鋼材等の金属、セラミックスやプラスチック、ガラス等の非金属で構成し、かつ被粉砕物を微細な粉末状に粉砕するのに適した硬度、形状、大きさ、重量の球形状および多角形状のボールに設定してもよく、直径が約２０ｍｍのボールと、直径が約１３ｍｍのボールと直径が約５ｍｍのボール（つまり異径数種類のボール）を任意の割合で混合して使用してもよい。
【０００９】
また、粉砕室の壁部内面を、略五角形状や略六角形状、略八角形状等の略多角形状（但し、正多角係形を含む）に形成してもよい。この場合、壁部内面の角数を多くすると、円筒形状に近づくため、落差が小さくなる。逆に、壁部内面の角数を少なくすると、落下回数が減少するので、食用に適したサイズ（微粉末状）に粉砕する場合、好ましくは略六角形状（正六角形を含む）に形成するのが最適である。
【００１０】
上記構成によれば、粉砕媒体および被粉砕物を、略多角形状の壁部内面を有する粉砕室の回転力により高位側に移動して持ち上げ、高位側内壁面から低位側内壁面に向けて一挙に自重落下させるので、粉砕媒体および被粉砕物の落差が大きく、被粉砕物を微粉末状に粉砕するのに必要なかつ充分な衝撃力が確実に得られると共に、食用に最適なサイズに粉砕処理することができ、粉砕された被粉砕物を摂取する際の喉越しが良好となる。
【００１１】
この発明の一実施態様においては、上記略多角形状を有する粉砕室の壁部内面を、該粉砕室の回転軸芯を中心として略六角形状に構成したものである。  
上記構成によれば、充分な落差の確保と、最適な落下回数の確保との両立を図ることができる。
【００１２】
この発明の一実施態様においては、上記粉砕媒体および被粉砕物を撹拌する突起を設け、該突起は上記粉砕室の少なくとも１つの壁部内面または全ての壁部内壁面に複数突設したものである。
【００１３】
上述の突起は、棒状、柱状、板状、羽根状、リブ状、角柱状の何れに設定してもよい。  
上記構成によれば、粉砕媒体および被粉砕物を粉砕室の壁部内面に突設した突起に衝突させて粉砕するので、被粉砕物を所望のサイズに粉砕処理する作業が短時間で行なえ、処理能力の向上を図ることができる。
【００１４】
この発明の一実施態様においては、上記突起は壁部内面側の基端から回転軸芯側の先端にかけて角柱状に形成されたものである。  
上述の角柱状は、三角柱状、四角柱状、五角柱状、六角柱状の何れに設定してもよい。
【００１５】
上記構成によれば、上述の突起を基端から先端にかけて角柱状に形成したので、突起の突出長さの全長が被粉砕物の粉砕に寄与し、この結果、粉砕効率が大幅に向上すると共に、粉砕処理時間のさらなる短縮を図ることができる。
【００１６】
この発明の一実施態様においては、上記壁部の突起は、粉砕室の回転軸芯線に沿って該軸芯線方向に所定間隔を隔てて複数配列されたものである。  
上記構成によれば、上記配列構造の各突起により、良好な粉砕効率を確保することができる。
【００１７】
この発明の一実施態様においては、上記粉砕室の回転軸芯線に沿う突起列を複数列設け、隣接する突起列の突起が互い違いとなるように配置したものである。
【００１８】
上述の突起例は１つの壁部に対して複数列設けてもよく各壁部に少なくとも１列づつ設けて合計複数列と成してもよい。
【００１９】
上記構成によれば、突起の所謂千鳥状配置により粉砕媒体の衝突回数および分散回数が増大し、この結果、被粉砕物の粉砕効率向上を図ることができる。
【００２０】
この発明の一実施態様においては、上記突起を、それぞれ壁部の内面に対して複数列状に配置したものである。  
上記構成によれば、突起の複数列状の配置構造により、粉砕効率の向上を図ることができる。
【００２１】
この発明の一実施態様においては、上記粉砕媒体は、異なる大きさ、または／および異なる形状に形成された複数種類のボールに設定したものである。  
上記構成によれば、上述の複数種類のボールにより、多様な衝撃形態、多様な分散形態が確保できるので、被粉砕物をさらに良好に粉砕することができる。
【発明の効果】
【００２２】
この発明によれば、略多角形状の粉砕室に投入された粉砕媒体および被粉砕物を高位側から低位側に向けて一挙に自重落下させ、該被粉砕物を各粉砕媒体が衝突する時に生じる衝撃力で粉砕すべく構成したので、食用に適したサイズに粉砕処理することができ、摂取時の喉越しが良好となる効果がある。
【発明を実施するための最良の形態】
【００２３】
被粉砕物を食用に適するサイズに粉砕処理して、超微粉末または微粉末に成すという目的を、略多角形状（但し、正多角形を含む）の粉砕室に投入された粉砕媒体および被粉砕物を高位側から低位側に向けて一挙に自重落下させ、粉砕媒体が衝突する時に発生する衝撃力により被粉砕物を粉砕するように構成するという構造にて実現した。
【実施例】
【００２４】
この発明の一実施例を以下図面に基づいて詳述する。  
図面は、被粉砕物を食用に最適なサイズに粉砕処理するボールミル装置を示し、図１において、このボールミル装置１は、球形状のボールＡ…（図５参照）と、樽形状のボールＢ…（図５参照）と、稲若葉やケール等の被粉砕物Ｃ（図５参照）とをステンレス製の粉砕室２に所定量投入した後、粉砕室２を粉砕処理に最適な速度で回転（望ましくは高速回転）して、被粉砕物Ｃを食用に最適なサイズ（微粉末または超微粉末）に粉砕処理するものである。
【００２５】
この実施例では、１個の重量が約２．５ｇ、直径が約１２ｍｍのボールＡを略３０ｋｇ投入し、１個の重量が約５０ｇ、直径が約１９ｍｍ、長さが約２７ｍｍのボールＢを略１００ｋｇ投入して粉砕処理するが、ボールＡの重量は約２．５ｇ以上または以下に変更してもよく、その直径は約１２ｍｍ以下または以上に変更してもよく、投入量は約３０ｋｇ以下または以上に変更してもよい。また、ボールＢの重量は約５０ｇ以上または以下に変更してもよく、その直径は約１９ｍｍ以下または以上に変更してもよく、長さは、約２７ｍｍ以下または以上に変更してもよく、投入量は約１００ｋｇ以下または以上に変更してもよい。またボールＡについてはその直径が約２０ｍｍのもの、約１３ｍｍのもの、約５ｍｍのものを任意の割合にて使用すべく構成してもよい。ここで上述のボールＡ，Ｂおよび粉砕室２はステンレス（剛性部材）で構成されている。
【００２６】
上述の粉砕室２は、図５、図６に示すように、ボールＡ，Ｂおよび被粉砕物Ｃを所定量投入するのに適した内部容積を有する壁部内面を、その前端側中心部および後端側中心部の間に設定した回転軸芯線ａを中心として略六角形状（この実施例では正六角形）に形成し、ボールＡ，Ｂおよび被粉砕物Ｃの投入・排出が許容される投入口２ａを、粉砕室２の前端側中央部に開口し、投入口２ａ（図１〜図４参照）を気密状態に密閉および閉塞する蓋部３を、該投入口２ａに着脱可能に設けている。
【００２７】
また、図３、図４に示すように、蓋部３は、投入口２ａと合致する大きさ、形状に形成され、投入口２ａに蓋部３を嵌合および嵌着した時、投入口２ａの外周縁部に取り付けた締付けハンドル１３…を、蓋部３の外周縁部に係止すると共に、投入口２ａの気密状態が確保される状態に締付け固定する。
【００２８】
さらに図５に示すように、粉砕室２に投入されたステンレス製のボールＡ，Ｂおよび被粉砕物Ｃを撹拌するボルト型の突起４を、粉砕室２の合計六面の各壁部２ｂ内面に対して径方向内方（回転軸芯方向）に向けて突設すると共に、図６に示すように、粉砕室２の回転軸芯線ａと平行に複数の突起４…を所定間隔（約７．５ｃｍ）を隔てて一列状に複数個配列（例えば５個配列）している。また、同図に示す如く、隣り合う壁部２ｂ…の突起４が軸芯線方向において互い違いとなるように千鳥状（オフセット配置）に配列している。なお、隣り合う壁部２ｂ…の突起４はオフセットしないように配置してもよい。
【００２９】
上述の突起４は、図７に示すように、壁部２ｂに形成した孔部２ｃに対して径方向に挿入され、粉砕室２内部に突出する突起４（この実施例では六角頭部を有するボルトを用いている）のネジ部４ａに螺合したナット５および粉砕室２外部に突出するネジ部４ａに螺合したナット６で締付けて、径方向内方に対して所望の突出量に突出した状態に固定する。一方、突起４を、所望の突出量に可変調節する場合、ナット５，６による締付け固定を一旦、解除した後、突起４を径方向に移動させ、被粉砕物Ｃを所望のサイズに粉砕するのに適した突出量に可変調節する。この実施例では、それぞれの突起４…を略同一の高さ、および略同一の突出量に設定している。
【００３０】
また、１つの壁部２ｂにおいて互に隣接する突起４，４相互の間隔は約７．５ｃｍ以下または以上の間隔に変更してもよく、突起４…の本数は、５本以下または以上の本数に変更してもよい。さらに、壁部２ｂ…に突設した突起４…を、壁部２ｂ…毎に異なる高さ、かつ異なる突出量に可変調節してもよく、一つの壁部２ｂに配列した突起４…を、それぞれ異なる高さ、突出量に可変調節してもよい。または、突起４のネジ部４ａを、粉砕室２内部に露出する軸部周面に形成せず、ナット５，６が螺合される軸部周面のみに形成してもよい。
【００３１】
ところで、図２、図３、図４に示すように、粉砕室２の後端側外面部（粉砕時に底部側となる外面部）の回転中心部に直結した軸部７を、旋回フレーム１４の後端側中央部に固定した軸受部８で軸受して、軸受部８上に固定した減速機付きモータ９の駆動力により、スプロケット１０，１１およびチェーン１２を介して、一方向に定速回転（被粉砕物Ｃを粉砕するのに最適な回転速度、約６５Ｈｚ回転）する。また、粉砕室２を、予め設定した時間毎に正逆回転してもよく、粉砕室２の回転速度は約６５Ｈｚ以下または以上に変更してもよい。
【００３２】
上述の、旋回フレーム１４は、粉砕室２の両側部および底面部を囲むような大きさ、形状に形成され、旋回フレーム１４の両端部に固定した軸部１５を、基台１６の左側部に起立する支持台１７上部に固定した軸受部１８と、右側部に起立する支持部１７上部に内蔵した軸受部１８とで軸受して、粉砕室２全体を、右側支持部１７に内蔵した減速機付きモータ１９の駆動力により、スプロケット２０，２１およびチェーン２２を介して、投入口２ａが下向きとなる略垂直姿勢と、上向きとなる略鉛直姿勢との間で所望の角度に前後回動（傾動）する。
【００３３】
つまり、被粉砕物Ｃを投入するのに適した角度（投入口２ａが斜め上向き、または略真上向きとなる角度）と、被粉砕物Ｃを粉砕するのに最適な角度（投入口２ａが斜め上向き、または略正面向きとなる角度）と、粉砕済みの被粉砕物Ｃを排出するのに適した角度（投入口２ａが斜め下向き、または略真下を向いた角度）とに回動することができる。なお、粉砕室２を、ギヤやウォーム、ハンドル等の回動手段を介して、手動操作にて所望の角度に前後回動すべく構成してもよい。
【００３４】
さらに、図３に示すように、始動スイッチ２３、停止スイッチ２４、回転速度調整スイッチ２５等のスイッチ類および計器類を、右側支持部１７の操作面に配置している。また、図１、図２に示すように、キャスタまたはコロ等の輪体２６を各支持部１７下部に取り付けて、ボールミル装置１全体を所望の場所に移動し得るように構成している。なお、図７において矢印ＩＮは粉砕室２の内方を示し、矢印ＯＵＴは粉砕室２の外方を示す。
【００３５】
図示実施例は上記の如く構成するものにして、以下、ボールミル装置１により稲若葉やケール等の被粉砕物Ｃを粉砕処理する作用について説明する。  
まず、図１に示すように、粉砕室２を、被粉砕物Ｃを投入するのに適した角度（投入口２ａが斜め上向きとなる角度）に停止保持した後、蓋部３を、粉砕室２の投入口２ａから取り外して、所定量（約３０ｋｇ）のボールＡ…と、所定量（約１００ｋｇ）のボールＢ…と、所定量（約２０ｋｇ）の被粉砕物Ｃとを、粉砕室２内部に投入した後、図２に示す如く蓋部３を、粉砕室２の投入口２ａに嵌合して気密状態に密閉および密封する。
【００３６】
ここで、粉砕室２内を一旦、真空状態と成した後に、粉砕室２内にＮ２ガスを投入し、粉砕室２内のＯ２量低減を図って、被粉砕物Ｃの酸化を防止すると共に、被粉砕物Ｃに含まれるビタミン等の栄養分が劣化するのを防止することが望ましく、さらに、ボールミル装置１の全体を冷却雰囲気中（例えば約１０℃の雰囲気中）において稼動させ、粉砕時において粉砕室２内部が温度上昇するのを抑止することが望ましい。
【００３７】
次に、図３、図４、図５に示すように、粉砕室２を、被粉砕物Ｃを粉砕するのに最適な角度（投入口２ａが斜め上向きとなる角度）に回動した後、または回動させながら、モータ９の駆動力により被粉砕物Ｃを粉砕するのに最適な速度で回転させ、粉砕室２の低位側壁部２ｂ…に堆積するボールＡ，Ｂおよび被粉砕物Ｃを高位側に持ち上げ移動させ、ボールＡ，Ｂおよび被粉砕物Ｃを、粉砕室２の高位側壁部２ｂから低位側壁部２ｂに向けて一挙に自重落下させながら、壁部２ｂ…に突設した複数の突起４…に衝突させて様々な方向に分散させて略均一に撹拌する。
【００３８】
かつ、ボールＡ，Ｂを互いに衝突させながら、粉砕室２の壁部２ｂ…内面に突設した突起４…および低位側壁部２ｂに衝突させて、その衝突時に生じる衝撃力を利用して、ボールＡ，Ｂおよび壁部２ｂ…の対向面間と、ボールＡ，Ｂの対向面間と、ボールＡ，Ｂおよび突起４…の対向面間に入り込んだ被粉砕物Ｃとを外気に何等接触させることなく粉砕処理する。ここで、少なくとも粉砕室２は、被粉砕物Ｃを粉砕するのに適した温度に冷却手段にて冷却保持され、この状態で粉砕処理が実行される。
【００３９】
上述の撹拌処理および粉砕処理を所定時間連続して行い、被粉砕物Ｃを、微粉末状または超微粉末状に粉砕し、これを麺や豆腐、餅、飲み物等の様々な食品に添加（混入）した場合、摂取時の喉越しがよくなる。上述の被粉砕物Ｃは食用に最適なサイズ（約０．５μｍ〜約８０μｍの範囲に含まれるサイズの微粉末状、望ましくは約６０μｍ以下、さらに望ましくは約２０μｍ以下）の微粉末状に粉砕処理する。また、ボールＡおよびボールＢの何れか一方のみの粉砕媒体を用いて粉砕処理してもよい。
【００４０】
粉砕処理後、粉砕室２は、粉砕済みの被粉砕物Ｃを排出するのに適した角度（投入口２ａが斜め下向きとなる角度）に停止保持され、その後蓋部３を、粉砕室２の投入口２ａから取り外して、ボールＡ，Ｂおよび粉砕済みの被粉砕物Ｃを取り出し、被粉砕物ＣのみをボールＡ，Ｂから分離および回収して、麺や豆腐、餅、ケーキ、飲み物等の食品に所定量添加（混入）する。また微粉末それ自体を栄養補助食品に加工してもよい。以下、上述と同様にして、被粉砕物Ｃの粉砕処理を継続して行う。
【００４１】
このように、ボールＡ，Ｂおよび被粉砕物Ｃを、略六角形状（正六角形を含む）の内壁面を有する粉砕室２の回転力により高位側に移動および持ち上げ、粉砕室２の高位側壁部２ｂ…から低位側壁部２ｂ…に向けて一挙に自重落下させるので、従来のボールミルよりも、ボールＡ，Ｂおよび被粉砕物Ｃの落差が大きく、被粉砕物Ｃを微粉末状に粉砕するのに必要な衝撃力が確実に得られると共に、食用に最適なサイズに粉砕処理することができ、粉砕された稲若葉やケール等の微粉末を食品に混入して食する際の喉越しも良好となる。
【００４２】
また、ボールＡ，Ｂおよび被粉砕物Ｃを、粉砕室２の壁部２ｂ…内面に突設した突起４…に衝突させて撹拌かつ粉砕するので、被粉砕物Ｃを、所望のサイズに粉砕処理する作業が短時間で行え、処理能力の向上を図ることができる。
【００４３】
図８はボールミル装置の他の実施例を示し、この実施例では上述の突起４（図７参照）を、粉砕室２の壁部２ｂ…に対して平行２列状に配置し、かつ１つの壁部２ｄにおいて隣設列の各突起４…が互い違いとなるように千鳥状に配列している。この場合、突起４…が千鳥状に配列された壁部２ｄを、壁部２ｂに開口した開口部２ｅ…に対して気密状態に固定するので、先の実施例のように一直線上に配列した突起４…に衝突させるものに対して、衝突回数および分散回数が多くなり、被粉砕物Ｃの粉砕効率が向上する。この図８に示す実施例においても、その他の構成、作用、効果については先の実施例とほぼ同様であるから、図８において前図と同一の部分には同一符号を付して、その詳しい説明を省略する。
【００４４】
図９は、ボールミル装置のさらに他の実施例を示し、この実施例では一列状および２列千鳥状の突起４（図７参照）を組み合わせて配列するように構成している。突起４…が一列状および２列千鳥状に配列された壁部２ｄ，２ｄを、壁部２ｂの開口部２ｅ…に固定するので、一列状および千鳥状に配列した何れか一方の突起４…に衝突させるものに対して、ボールＡ，Ｂおよび被粉砕物Ｃを様々な方向に分散かつ撹拌することができ、上述の実施例と同等または、それ以上の作用、効果を奏することができる。また、突起４…が一列状に配列された壁部２ｄを、壁部２ｂの開口部２ｅから取り外して、突起４…が非オフセット構造にて２列平行に配列された壁部２ｄと交換することもでき、突起４…を所望する配列に変更および組み合わせることができる。
【００４５】
図１０はボールミル装置のさらに他の実施例を示し、この実施例では粉砕室２を所謂両持ち構造にて回転すべく構成したものである。つまり、粉砕室２の前後両端部を軸受すると共に、ボールＡ，Ｂおよび被粉砕物Ｃを壁部２ｂに開口した開口部２ｅから投入して、その開口部２ｅを壁部２ｄにより気密状態に密閉かつ密封した後、粉砕室２を粉砕処理に最適な速度で回転させるように構成している。このように構成すると、粉砕室２の回転軸芯線ａが偏心しないので、被粉砕物Ｃを食用に最適なサイズに粉砕処理する作業の安定性向上を図ることができる。この図１０に示す実施例においても、その他の構成、作用、効果については先の実施例とほぼ同様であるから、図１０において前図と同一の部分には同一符号を付して、その詳しい説明を省略する。
【００４６】
図１１、図１２はボールミル装置のさらに他の実施例を示すものであって、図１１は六角形状の粉砕室２の１つの壁部２ｂを粉砕室２の内部から見た状態で示す図面、図１２は図１１のＸ−Ｘ線矢視断面図である。
【００４７】
この実施例においては、壁部２ｂの内面にステンレス等の剛性部材から成るナット構造の複数の突起２７を設けるが、図１１に示すように、これらの突起２７は回転軸芯線ａに沿って複数列設けられると共に、隣接する突起列の突起２７が互い違いとなるように千鳥状に配置している。
【００４８】
しかも、上述の突起２７は図１２に示すように壁部２ｂの内面側の基端２７ａから回転軸芯側の先端２７ｂにかけて六角形状に形成されている。
【００４９】
上述の各突起２７は図１２に示すように壁部２ｂに形成された孔部２ｃに粉砕室２の外側から配置したボルト２８に対してスプリングワッシャ等のワッシャ２９を介して強固に締付け固定されたものである。
【００５０】
なお、図１１においては六角形状の粉砕室２の１つの壁部２ｂについてのみ図示したが他の５面の壁部２ｂについても図１１と同等に構成されている。  
このように、上述の突起２７をその基端２７ａから先端２７ｂにかけて途中に凹部がない六角形状に形成したので、それぞれの突起２７の突出長さＬの全長が稲若葉、ケール等の被粉砕物Ｃの粉砕に寄与し、この結果、粉砕効率が大幅に向上して、被粉砕物Ｃを約６０μｍ以下の微粉末（詳しくは横軸に粉砕後の粒子径をとり、縦軸に相対粒子量をとった場合の測定曲線のピーク値の値が６０μｍ以下になる粉砕状態）に粉砕することができると共に、粉砕処理時間のさらなる短縮を図ることができる。
【００５１】
加えて、上記複数の突起２７の千鳥状配置によりボールＡ，Ｂ（特に直径が約２０ｍｍのボールＡと、直径が約１３ｍｍのボールＡと、直径が約５ｍｍのボールＡとを所定割合に混合して用いることが望ましい）の衝突回数、分散回数が増大するので、被粉砕物Ｃの粉砕効率向上を図ることができる。
【００５２】
図１１、図１２で示したこの実施例においても、その他の構成、作用、効果に
ついては図１〜図７で示した先の実施例とほぼ同様であるから、図１１、図１２において前図と同一の部分には同一符号を付して、その詳しい説明を省略するが、突起２７はその外観形状が六角形状のものに代えて、三角柱状、四角柱状、五角柱状のものを用いてもよい。
【００５３】
この発明の構成と、上述の実施例との対応において、  
この発明の粉砕媒体は、実施例のボールＡ，Ｂに対応し、  
以下同様に、  
被粉砕物Ｃは、稲若葉、ケールに対応するも、  
この発明は、上述の実施例の構成のみに限定されるものではない。
【００５４】
例えば、被粉砕物Ｃとしては麦若葉などの他の被粉砕物であってもよく、突起４，２７の配列個数並びに突起列の数は適宜増減してもよい。また、上記各実施例を任意に組合せてボールミル装置を構成してもよい。
【図面の簡単な説明】
【００５５】
【図１】本発明のボールミル装置を示す斜視図。
【図２】粉砕室の傾動作用を示す側面図。
【図３】粉砕室の支持構造態を示す平面図。
【図４】粉砕時の傾動状態を示す斜視図。
【図５】粉砕室の断面図。
【図６】突起の千鳥状配置を内部から見た状態で示す展開図。
【図７】突起の取付け構造を示す断面図。
【図８】ボールミル装置の他の実施例を示す平面図。
【図９】ボールミル装置のさらに他の実施例を示す平面図。
【図１０】粉砕室支持構造の他の実施例を示す平面図。
【図１１】ボールミル装置のさらに他の実施例を示す部分説明図。
【図１２】図１１のＸ−Ｘ線矢視断面図。
【符号の説明】
【００５６】
Ａ，Ｂ…ボール（粉砕媒体）
Ｃ…被粉砕物
２…粉砕室
２ｂ，２ｄ…壁部
４，２７…突起
【図１】
2004216373.tif 000003
【図２】
2004216373.tif 000004
【図３】
2004216373.tif 000005
【図４】
2004216373.tif 000006
【図５】
2004216373.tif 000007
【図６】
2004216373.tif 000008
【図７】
2004216373.tif 000009
【図８】
2004216373.tif 000010
【図９】
2004216373.tif 000011
【図１０】
2004216373.tif 000012
【図１１】
2004216373.tif 000013
【図１２】
2004216373.tif 000014